(57)【要約】      （修正有）【課題】所定絵柄が描かれた一枚の紙面を、部分的に切り離しまたは折り曲げることで組立可能な立体ディスプレイを提供する。【解決手段】紙面１０を部分的に切り離しまたは折り曲げることで組立可能な立体ディスプレイ１であって、所定絵柄が描かれた一枚の紙面１０から成り、該紙面１０は、所定中間位置で一方を上方へ折り曲げることで底面部１１と背面部１２とに分割構成する。また、該紙面１０内には切離線２１により紙面１０から部分的に分離可能な紙片１５が備えられているとともに、該紙片１５を所定方向へ折り曲げることで該紙片１５が紙面に対し起立状態となるための折曲線２０を備える。【選択図】図３
0003178169.tif 000002
【実用新案登録請求の範囲】
【請求項１】
紙面を部分的に切り離しまたは折り曲げることで組立可能な立体ディスプレイであって、
所定絵柄が描かれた一枚の紙面から成り、
該紙面は、所定中間位置で一方を上方へ折り曲げることで底面部と背面部とに分割構成され、かつ、該紙面内には切離線により紙面から部分的に分離可能な紙片が備えられているとともに、該紙片を所定方向へ折り曲げることで該紙片が紙面に対し起立状態となるための折曲線が備えられていることを特徴とする組立式立体ディスプレイ。
【請求項２】
前記組立式立体ディスプレイにおいて、
前記底面部若しくは背面部におけるいずれか一方若しくは両方の側辺所定箇所に、先端に引掛部を有する支持片が該底面部若しくは背面部と一体的に備えられるとともに、前記背面部若しくは底面部における紙面内に、前記引掛部を差し込み可能な切込が備えられていることを特徴とする請求項１に記載の組立式立体ディスプレイ。
【考案の詳細な説明】
【技術分野】
【０００１】
本考案は、組立式の立体ディスプレイに関し、詳しくは、一枚の紙面を部分的に切り離しまたは折り曲げることで、立体的なディスプレイが組立可能であるディスプレイに関するものである。
【背景技術】
【０００２】
従来より、我が国には、例えばひな祭りや五月人形等のように、ある決まった時期に人形や兜などの飾り物を飾る風習があり、日本の伝統的文化として定着している。また、かかる風習に限らず、空間を彩るディスプレイなどが、部屋に飾られたりすることもある。
【０００３】
このように飾り物を設置しあるいは収納する場合に、その飾り物の設置スペースや保管スペースといったある程度の場所が必要となる。しかしながら、マンションやアパートなど限られた必要最小限の生活空間に暮らす傾向にある現代の家庭環境においては、当該飾り物を設置することが容易でない場合が多々ある。
【０００４】
一方、飾り物・ディスプレイには、目で見て楽しむこと、そして飾る手間・作業を楽しむこと、の二つの楽しみが存在する。そして先に例示したようなひな祭りなどのように、日本の古来からの文化・風習・伝統といったものを子供等に継承していくことも教育上非常に重要なことであり、そのために雛人形などを目で見て且つ自ら飾る・組み立てることが子供達にとって好奇心をかきたて、教育上大いに役立っていることも否めない。
【０００５】
したがって本出願人は、収納や設置にさほどスペースを要することなく、かつ、組立作業が容易であって、さらに飾り物としての立体性も兼ね備えた、そのようなディスプレイを創作したいとの着想から、本考案を提案するに至ったものである。
【０００６】
【特許文献１】登録実用新案第３１６４５９１号公報
【考案の開示】
【考案が解決しようとする課題】
【０００７】
本考案は、上記事情に鑑みてなされたものであり、所定絵柄が描かれた一枚の紙面を、部分的に切り離しまたは折り曲げることで組立可能な立体ディスプレイを提供することを課題としている。
【課題を解決するための手段】
【０００８】
このような課題を解決するために、請求項１に係る考案は、紙面を部分的に切り離しまたは折り曲げることで組立可能な組立式立体ディスプレイであって、所定絵柄が描かれた一枚の紙面から成り、該紙面は、所定中間位置で一方を上方へ折り曲げることで底面部と背面部とに分割構成され、かつ、該紙面内には切離線により紙面から部分的に分離可能な紙片が備えられているとともに、該紙片を所定方向へ折り曲げることで該紙片が紙面に対し起立状態となるための折曲線が備えられている構成となっている。
【０００９】
また、請求項２に係る考案は、前記組立式立体ディスプレイにおいて、前記底面部若しくは背面部におけるいずれか一方若しくは両方の側辺所定箇所に、先端に引掛部を有する支持片が該底面部若しくは背面部と一体的に備えられるとともに、前記背面部若しくは底面部における紙面内に、前記引掛部を差し込み可能な切込が備えられている構成となっている。
【考案の効果】
【００１０】
本考案に係る組立式立体ディスプレイによれば、一枚の紙面から立体的なディスプレイを完成させることが可能であって、折曲線を適宜折り曲げるという簡易な方法で組み立てることができ、組み立てる楽しさと完成した立体ディスプレイを鑑賞する楽しさを観者に与えることが可能である。
【００１１】
また、本考案に係る組立式立体ディスプレイは、組み立て前は一枚の紙面であるため、運搬性及び収納性に資するとともに、描かれる絵柄を適宜変更することによって、季節やイベントごとに種々の立体ディスプレイを提供することが可能である。
【図面の簡単な説明】
【００１２】
【図１】本考案に係る組立式立体ディスプレイの実施形態を示す説明図である。
【図２】本考案に係る組立式立体ディスプレイの実施形態を示す説明図である。
【図３】本考案に係る組立式立体ディスプレイの実施形態を示す説明図である。
【考案を実施するための最良の形態】
【００１３】
以下、本考案に係る組立式立体ディスプレイ１の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【００１４】
図１乃至図３は、本考案に係る組立式立体ディスプレイ１の実施形態を示す説明図であり、図１は組み立て前の平面図、図２は組み立て途中の斜視図、図３は組み立て完了後の斜視図である。
該組立式立体ディスプレイ１は、一枚の紙面１０から成る。かかる紙面１０の種類については、紙材質であれば特に限定はないが、後述するように部分的に切り離しまたは折り曲げることから、折り曲げ容易なように厚すぎないものが好ましく、また、完成した立体ディスプレイの形状保持性を考慮すると、相応の強度を有することが好ましい。
【００１５】
該紙面１０には、所定絵柄が描かれている。描かれる絵柄については特に限定はなく、例えば雛人形にちなんだお内裏様とお姫様・行燈・菱餅などの絵柄であったり、あるいは、こいのぼりと兜・五月人形の絵柄であったり等、用途に合わせ任意に決定することが可能である。
【００１６】
また紙面１０は、その所定中間位置において、分割線１３により底面部１１と背面部１２とに分割構成されている。そして、背面部１２を該分割線１３にて上方へ折り曲げることにより、底面部１１に対し背面部１２が起立した状態となる。
【００１７】
かかる底面部１１と背面部１２とで構成される紙面１０内には、切離線２１並びに折曲線２０が備えられている。かかる切離線２１を備えることで、紙面１０から部分的に分離可能な紙片１５が構成されており、折曲線２０に沿って紙片１５を所定方向へ折り曲げることで、該紙片１５が紙面１０に対し起立した状態となる。
【００１８】
切離線２１並びに折曲線２０は、紙面１０上に描かれた絵柄の構成パーツに合うように紙面１０内に備えられるものであって、少なくとも一以上の切離線２１及び折曲線２０が紙面１０内に存在することとなる。
このとき、切離線２１は、紙面１０上において、紙片１５の形状に合わせて直線状や曲線状・折線状に備えられることとなる。また折曲線２０については、折り曲げることで紙面１０から紙片１５を起立状態にするという機能上、直線状に備えられることとなる。
【００１９】
前記底面部１１若しくは背面部１２における側辺１１ａ，１２ａの所定箇所には、支持片１７が該底面部１１若しくは背面部１２と一体的に備えられている。該支持片１７は、底面部１１若しくは背面部１２において、左右ある側辺１１ａ，１２ａの少なくともいずれか一方に備えられ、好ましくは左右両方の側辺１１ａ，１２ａに備えられる。そしてまた、該支持片１７の先端には、後述する切込２２に差し込んで引っ掛けるための引掛部１７ａが設けられている。
なお図面では、底面部１１における両側辺１１ａに支持片１７が備えられている場合について示している。
【００２０】
また、前記背面部１２若しくは底面部１１における紙面１０内には、切込２２が備えられている。該切込２２は、前記支持片１７先端に設けられた引掛部１７ａが差し込まれる部位であって、背面部１２若しくは底面部１１において前記引掛部１７ａに対応する箇所に備えられることとなる。
【００２１】
具体的には、前記支持片１７が底面部１１の側辺１１ａに備えられる場合には、背面部１２の紙面１０内に切込２２が備えられ、逆に支持片１７が背面部１２の側辺１２ａに備えられる場合には、切込２２は底面部１１の紙面１０内に備えられる。
また、前記支持片１７がいずれか一方の側辺１１ａ，１２ａに備えられる場合には、該支持片１７先端の引掛部１７ａに対応する箇所に一の切込２２が備えられ、支持片１７が左右両側辺１１ａ，１２ａに備えられる場合には、同様に二の切込２２が備えられることとなる。
なお図面では、背面部１２に二の切込２２が備えられている場合について示している。
【００２２】
以上の通り構成される本考案にかかる組立式立体ディスプレイ１について、その組立手順について説明する。なお、説明の便宜上、支持片１７が底面部１１の左右両側辺１１ａに備えられ、かつ、切込２２が背面部１２に備えられている場合について説明する。
（１）まず、切離線２１に沿って紙片１５を紙面１０から部分的に分離する。
（２）次に、折曲線２０に沿って紙片１５を紙面１０から起立した状態に折り曲げる。
（３）かかる折曲線２０の折り曲げと同時進行で分割線１３を折り曲げて、紙面１０における底面部１１に対し背面部１２を起立した状態とする。
（４）底面部１１の両側辺１１ａに備えられた支持片１７を、該側辺１１ａに沿って上方へ折り曲げる。
（５）支持片１７の先端に設けられた引掛部１７ａを、背面部１２に備えられた切込２２に夫々差し込み引掛ける。
以上の工程を経ることで、本考案にかかる組立式立体ディスプレイ１の組み立ては完了する。完成した組立式立体ディスプレイ１は、紙片１５が紙面１０上において立体的に起立した状態になるとともに、底面部１１に対し背面部１２が起立状態のまま支持される。
【産業上の利用可能性】
【００２３】
本考案にかかる組立式立体ディスプレイ１は、一枚の紙面１０から構成されることから、運搬性及び収納性に資するとともに、描かれる絵柄を適宜変更することによって、季節やイベントごとに紙面１０に種々の立体ディスプレイを提供することができ、さらには、折曲線２０を適宜折り曲げるという簡易な方法で組み立てることができるため、世代を問わずに組み立てる楽しさと完成した立体ディスプレイを鑑賞する楽しさを観者に与えることが可能であって、本考案の産業上の利用可能性は大である。
【符号の説明】
【００２４】
１    組立式立体ディスプレイ
１０    紙面
１１    底面部
１１ａ  側辺
１２    背面部
１２ａ  側辺
１３    分割線
１５    紙片
１７    支持片
１７ａ  引掛部
２０    折曲線
２１    切離線
２２    切込
【図１】
0003178169.tif 000003
【図２】
0003178169.tif 000004
【図３】
0003178169.tif 000005